(57)【特許請求の範囲】
【請求項１】
前後方向、左右方向、及び高さ方向を備え、
尿が通過する複数の穴が設けられ、排泄物処理材が設置される上容器と、
前記上容器よりも下方に設けられ、吸収体が設置されるトレイと、
前記上容器よりも下方に設けられ、前記上容器と前記トレイとを支持する下容器とを備え、
前記上容器と前記トレイは、接触しておらず、
前記下容器は、前記上容器を支持する上容器支持部と、前記トレイを支持するトレイ支持部とを有し、
前記下容器は、底面に突部を有し、
前記トレイが前記下容器に対して、前記左右方向における最も一方側に配置された状態において、
前記突部は、前記左右方向において、前記上容器支持部と前記トレイ支持部の間に位置していることを特徴とする動物用トイレ。
【請求項２】
請求項１に記載の動物用トイレにおいて、
前記突部は、前記前後方向に沿ったリブであることを特徴とする動物用トイレ。
【請求項３】
請求項１又は２に記載の動物用トイレにおいて、
前記下容器は、前方に前記トレイを挿入するトレイ挿入部を、底面の前記前後方向における中央部に開口部を有し、
前記下容器は、前記前後方向において、前記トレイ挿入部と前記開口部との間に、前記左右方向に沿った横リブを有することを特徴とする動物用トイレ。
【請求項４】
請求項３に記載の動物用トイレにおいて、
前記下容器は、前記トレイ挿入部の上方に、後方へ向かってくぼんだ上側凹部を有することを特徴とする動物用トイレ。
【請求項５】
請求項４に記載の動物用トイレにおいて、
前記下容器は、前記トレイ挿入部の上方にて、前記上側凹部の前記左右方向の両側に、前記前後方向に沿った天井壁を有し、
前記上側凹部は、前記天井壁よりも後方へ向かってくぼんでいることを特徴とする動物用トイレ
【請求項６】
請求項３から５のいずれか１項に記載の動物用トイレにおいて、
前記下容器は、前記トレイ挿入部の下方に、後方へ向かってくぼんだ下側凹部を有し、
前記下容器の底面側から見た状態において、前記トレイ挿入部は、前記前後方向における前記下側凹部の後端よりも前側に設けられていることを特徴とする動物用トイレ。
【請求項７】
請求項１から６のいずれか１項に記載の動物用トイレにおいて、
前記下容器は、底面に平面部を有し、
前記平面部の前記左右方向の縁は、外側に凸形状であり、
前記突部は、前記平面部に設けられ、前記左右方向の縁は、外側に凸形状であることを特徴とする動物用トイレ。
【請求項８】
請求項３から６のいずれか１項に記載の動物用トイレにおいて、
前記上容器は、内側において最も下方に位置する底部の上面部を有し、
前記底部の上面部の中央は、前記上容器の前記前後方向における中央位置よりも後方に位置することを特徴とする動物用トイレ。
【請求項９】
請求項３から６のいずれか１項に記載の動物用トイレにおいて、
前記トレイの底面には、下方へ突出し前記前後方向に沿った底突起が設けられており、
前記下容器の底部は、前記開口部の周囲に、上方へ突出した突出部を有し、
前記突出部の上面のうち、前記底突起が接触する部位が、前記トレイ支持部であり、
前記前後方向において、前記突出部は、前記横リブよりも内側に設けられていることを特徴とする動物用トイレ。
【請求項１０】
請求項１から９のいずれか１項に記載の動物用トイレにおいて、
前記下容器の底部において、前記底面とは反対側の上面に、前記トレイを前記下容器に挿入する際に前記トレイを案内するための案内突部が設けられており、
前記前後方向における中央位置での断面において、前記突部は、前記案内突部よりも前記左右方向の外側に設けられていることを特徴とする動物用トイレ。
【発明の詳細な説明】
【技術分野】
【０００１】
本発明は、猫等の動物が使用する動物用トイレに関する。
【背景技術】
【０００２】
上容器、トレイ、及びこれらを支持する下容器を構成要素とする動物用トイレは、下容器の外周に排泄物等がかかることがあるため、特許文献１に示すように、下容器の底面に突出した脚部を設けて、下容器の底面が設置面と接触しない領域を設けるようにすることが好ましい。
【先行技術文献】
【特許文献】
【０００３】
【特許文献１】特開２０１３−１７４４６号公報
【発明の概要】
【発明が解決しようとする課題】
【０００４】
しかしながら、上容器には猫砂等の排泄物処理材が設置されたり、猫等の動物が乗ったりするため、下容器の脚部には、一方向に過剰な力がかかり、下容器が変形してしまう等の問題を生じていた。
【０００５】
本発明は、上記のような問題に鑑みてなされたものであって、上容器の荷重及びトレイの荷重による下容器の変形を抑制することが可能な動物用トイレを提供することを目的とする。
【課題を解決するための手段】
【０００６】
上記目的を達成するための主たる発明は、
前後方向、左右方向、及び高さ方向を備え、尿が通過する複数の穴が設けられ、排泄物処理材が設置される上容器と、前記上容器よりも下方に設けられ、吸収体が設置されるトレイと、前記上容器よりも下方に設けられ、前記上容器と前記トレイとを支持する下容器とを備え、前記上容器と前記トレイは、接触しておらず、前記下容器は、前記上容器を支持する上容器支持部と、前記トレイを支持するトレイ支持部とを有し、前記下容器は、底面に突部を有し、前記トレイが前記下容器に対して、前記左右方向における最も一方側に配置された状態において、前記突部は、前記左右方向において、前記上容器支持部と前記トレイ支持部の間に位置していることを特徴とする動物用トイレである。
本発明の他の特徴については、本明細書及び添付図面の記載により明らかにする。
【発明の効果】
【０００７】
本発明によれば、上容器の荷重及びトレイの荷重による下容器の変形を抑制することが可能となる。
【図面の簡単な説明】
【０００８】
【図１】本実施形態にかかる動物用トイレ１の斜視図である。
【図２】動物用トイレ１の分解側面図である。
【図３】図３Ａは、動物用トイレ１からカバー４０を外した状態の平面図であり、図３Ｂは、図３Ａ中のＡ−Ａ断面図たる中心縦断面図であり、図３Ｃは、図３Ａ中のＢ−Ｂ断面図たる中心横断面図である。
【図４】図４Ａは、下容器４０の平面図、図４Ｂは、下容器４０の底面図、図４Ｃは、下容器４０の正面図である。
【図５】図５は、図４Ａ中のＤ−Ｄ断面図たる中心縦断面図である。
【図６】図６は、下容器４０の底面について説明する図である。
【図７】図７は、図３Ｃの左半分拡大図である。
【図８】図８Ａは、トレイ３０が最も左に寄った状態の中心横断面図の左半分拡大図、図８Ｂは、トレイ３０が最も右に寄った状態の中心横断面図の左半分拡大図である。
【発明を実施するための形態】
【０００９】
本明細書及び添付図面の記載により、少なくとも以下の事項が明らかとなる。
前後方向、左右方向、及び高さ方向を備え、尿が通過する複数の穴が設けられ、排泄物処理材が設置される上容器と、前記上容器よりも下方に設けられ、吸収体が設置されるトレイと、前記上容器よりも下方に設けられ、前記上容器と前記トレイとを支持する下容器とを備え、前記上容器と前記トレイは、接触しておらず、前記下容器は、前記上容器を支持する上容器支持部と、前記トレイを支持するトレイ支持部とを有し、前記下容器は、底面に突部を有し、前記トレイが前記下容器に対して、前記左右方向における最も一方側に配置された状態において、前記突部は、前記左右方向において、前記上容器支持部と前記トレイ支持部の間に位置していることを特徴とする動物用トイレ。
【００１０】
このような動物用トイレによれば、上容器の荷重及びトレイの荷重による下容器の変形を抑制することが可能となる。
【００１１】
かかる動物用トイレであって、前記突部は、前記前後方向に沿ったリブであることが望ましい。
【００１２】
このような動物用トイレによれば、突部をリブとすることで、上容器の荷重及びトレイの荷重による下容器の変形をより抑制することが可能となる。
【００１３】
かかる動物用トイレであって、前記下容器は、前方に前記トレイを挿入するトレイ挿入部を、底面の前記前後方向における中央部に開口部を有し、前記下容器は、前記前後方向において、前記トレイ挿入部と前記開口部との間に、前記左右方向に沿った横リブを有することが望ましい。
【００１４】
このような動物用トイレによれば、前記トレイ挿入部と前記開口部との間に左右方向に沿ったリブを備えることで、下容器の補強効果を高めることができる。
【００１５】
かかる動物用トイレであって、前記下容器は、前記トレイ挿入部の上方に、後方へ向かってくぼんだ上側凹部を有することが望ましい。
【００１６】
このような動物用トイレによれば、トレイ挿入部の上方に上側凹部を有することで、下容器の補強効果を高めることができる。
【００１７】
かかる動物用トイレであって、前記下容器は、前記トレイ挿入部の上方にて、前記上側凹部の前記左右方向の両側に、前記前後方向に沿った天井壁を有し、前記上側凹部は、前記天井壁よりも後方へ向かってくぼんでいることが望ましい。
【００１８】
このような動物用トイレによれば、天井壁により、下容器の補強効果を高めることができる。さらに、上側凹部が天井壁よりくぼんでいることで、より一層、下容器の補強効果を高めることができる。
【００１９】
かかる動物用トイレであって、前記下容器は、前記トレイ挿入部の下方に、後方へ向かってくぼんだ下側凹部を有し、前記下容器の底面側から見た状態において、前記トレイ挿入部は、前記前後方向における前記下側凹部の後端よりも前側に設けられていることが望ましい。
【００２０】
このような動物用トイレによれば、下側凹部の端部を、トレイ挿入部の、より後方に設けることで、下容器の補強効果を高めることができる。
【００２１】
かかる動物用トイレであって、前記下容器は、底面に平面部を有し、前記平面部の前記左右方向の縁は、外側に凸形状であり、前記突部は、前記平面部に設けられ、前記左右方向の縁は、外側に凸形状であることが望ましい。
【００２２】
このような動物用トイレによれば、動物用トイレをより安定させることができる。
【００２３】
かかる動物用トイレであって、前記上容器は、内側において最も下方に位置する底部の上面部を有し、前記底部の上面部の中央は、前記上容器の前記前後方向における中央位置よりも後方に位置することが望ましい。
【００２４】
このような動物用トイレによれば、排泄物処理材を上容器の後方に設置することができるため、排泄物処理材の荷重を下容器の後方にかけるだけでなく、猫砂等の排泄物処理材の上で排泄を行う習性を有する猫等の動物が主に上容器の後方に乗るため、トレイ挿入部の設けられている前方の変形を減少させ、トレイの挿入がしづらいといった問題を減らすことができる。
【００２５】
かかる動物用トイレであって、前記トレイの底面には、下方へ突出し前記前後方向に沿った底突起が設けられており、前記下容器の底部は、前記開口部の周囲に、上方へ突出した突出部を有し、前記突出部の上面のうち、前記底突起が接触する部位が、前記トレイ支持部であり、前記前後方向において、前記突出部は、前記横リブよりも内側に設けられていることが望ましい。
【００２６】
このような動物用トイレによれば、前後方向において横リブの内側でトレイの荷重を受けるため、トレイを安定して支持することができる。
【００２７】
かかる動物用トイレであって、前記下容器の底部において、前記底面とは反対側の上面に、前記トレイを前記下容器に挿入する際に前記トレイを案内するための案内突部が設けられており、前記前後方向における中央位置での断面において、前記突部は、前記案内突部よりも前記左右方向の外側に設けられていることが好ましい。
【００２８】
このような動物用トイレによれば、前記突部が、前記案内突部よりも前記左右方向の外側に設けられているから、前記突部が、前記案内突部よりも前記左右方向の内側又は同じ位置に設けられている場合に比べて、上容器、及びトレイを安定して支持することができる。
【００２９】
＝＝＝第１実施形態＝＝＝
＜動物用トイレ１の構成＞
動物用トイレの一例として、動物用トイレ１について説明する。図１は、本実施形態にかかる動物用トイレ１の斜視図である。図２は、動物用トイレ１の分解側面図である。なお、以下の説明では、動物用トイレ１の長手方向を前後方向とし、上下方向に沿った方向を上下方向とし、前後方向及び上下方向に直行する方向を左右方向という。
【００３０】
図１及び図２に示すように、動物用トイレ１は、下容器４０と、下容器４０の上方に配置された上容器２０と、さらに上容器２０の上方に配置されたカバー１０と、下容器４０の前方から後方へ挿入されたトレイ３０とを備えている。また、上容器２０の底部２１には、上下方向に貫通した複数の穴ｈ、ｈ・・・が形成され、底部２１上には、猫砂などの粒状物（排泄物処理材）が載置される（不図示）。トレイ３０には、液体を吸収する吸収シート等の吸収材が載置される（不図示）。
【００３１】
猫等の動物が、上容器２０の底部２１上の粒状物上に乗り入れ、排尿すると、その尿は、粒状物間の隙間及び上記穴ｈを通って、下方のトレイ３０へ落下する。そして、落下した尿は吸収材により吸収される。
【００３２】
以下、カバー１０、上容器２０、トレイ３０、及び下容器４０について説明する。
図３Ａは、動物用トイレ１からカバー１０を外した状態の平面図であり、図３Ｂは、図３Ａ中のＡ−Ａ断面図たる中心縦断面図であり、図３Ｃは、図３Ａ中のＢ−Ｂ断面図たる中心横断面図である。
【００３３】
（上容器２０）
上容器２０は、例えば左右対称の、有底無蓋の容器であり、底部２１の形状は、複数の穴ｈ、ｈ・・・を有し、メッシュ状領域の高さが低い。その周囲の四方の領域２３ａ、２３ｂ、２３ｃ、２３ｄは、メッシュ状領域より高くなった略すり鉢状をなしている。
【００３４】
メッシュ状領域は、尿を下方に通過可能な領域である。そのメッシュ状領域の上面（底部の上面部２２）は、略平坦に形成されており、この底部の上面部２２に猫砂などの粒状物を載置する。図３Ａに示すように、底部の上面部２２の前後方向中央である底部の上面部の中央２２Ｃは、上容器２０の底部２１の中央位置である上容器中央２０Ｃよりも後方にシフトしている。これにより、猫砂等の粒状物を上容器２０の後方に載置することとなり、猫砂等の粒状物の荷重を下容器４０の後方に加えることができる。さらに、猫砂等の上で排泄を行う習慣を有する猫等の動物が上容器２０の後方に乗ることとなり、砂等の粒状物の重さに加え、猫等の動物の荷重も下容器４０の後方に加わることとなる。その結果、トレイ３０の挿入口が形成されているために、下容器４０の他の部分と比べて強度が弱い前壁部４３ａ（後述）の変形を減少させることができ、トレイ３０の挿入や引出しがしづらいという問題を減らすことができる。
【００３５】
なお、上容器２０の外縁枠は上容器荷重部２４である。上容器荷重部２４は、下容器４０の上方から上容器２０を配置すると、上容器２０の荷重（以下、上容器２０、動物や排泄物処理材の重さを含めて「上容器２０の荷重」という。）を、下容器４０の上容器支持部４７（後述）へ加える部分である。上容器荷重部２４は、外縁枠の底面部であり、平坦な面を有している。
【００３６】
（トレイ３０）
トレイ３０は、例えば左右対称、有底無蓋の、上下方向の厚みの浅い、平坦な容器である。また、トレイ３０は、前後方向の端部に取っ手部３１をそれぞれ有しており、作業者は取っ手部３１を掴んで、容易に下容器４０からトレイ３０を引き出すことができる。なお、トレイ３０を、前後方向において対照な形状にすることで、トレイ３０の前後を入れ替えて下容器４０に挿入することができる。
【００３７】
トレイ３０は、メッシュ状領域の穴ｈ、ｈ・・・を通過した尿をトレイ３０内で貯留する。トレイ３０内の吸収体載置部３２に、吸収シート（吸収材）を載置することで、尿をしっかり吸収し、保持することができるため、トレイ３０の外に尿が漏れることを防ぐことができる。なお、吸収体載置部３２には、吸収シートだけでなく、パルプ繊維や木材、高吸収性ポリマー等の吸収材を用いてもよく、吸収材を用いないこととしてもよい。
【００３８】
トレイ３０の底面には、下方へ突出し、前後方向に沿った底突起部３３が形成されている。底突起部３３の底面は、トレイ３０の荷重（以下、トレイ３０、尿や吸収材の重さを含めて「トレイ３０の荷重」という。）を下容器４０のトレイ支持部４８（後述）へ加える部分である。
【００３９】
（下容器４０）
図４Ａは、下容器４０の平面図、図４Ｂは、下容器４０の底面図、図４Ｃは、下容器４０の正面図である。図５は、図４Ａ中のＤ−Ｄ断面図たる中心縦断面図である。
【００４０】
図４Ａ，図４Ｂ及び図４Ｃに示すように、下容器４０は、底部４１、前壁部４３ａ、後壁部４３ｂ、及び左右の各側壁部４３ｃ、４３ｄを有している。
【００４１】
図４Ａに示すように、底部４１の上面は、上下方向に貫通して形成された、略矩形の開口部４２と、開口部４２の周囲で上方に向かって突出した突出部５０と、突出部５０の左右方向外側に、突出部５０より高く突出し、前後方向に沿って設けられた案内突部４５を有している。
【００４２】
図４Ｂに示すように、底部４１の底面は、開口部４２と、上面の突出部５０に対応して凹んだ突出部５０ｂとを有している。また、底部４１の底面には、前後方向に沿った縦リブ５１と、左右方向に沿った横リブ５２が設けられている。なお、突出部５０ｂの周囲を囲んだ形状の周リブ５３が、下方に突出して形成されており、この周リブ５３の一部が、縦リブ５１及び横リブ５２となっている。
【００４３】
図４Ｃに示すように、前壁部４３ａは、前後方向に向かって貫通して形成された横長形状のトレイ挿入部４４と、トレイ挿入部４４の上方で前後方向にくぼんだ上側凹部５４と、トレイ挿入部４４の下方で前後方向にくぼんだ下側凹部５５を有している。
【００４４】
左右の各側壁部４３ｃ、４３ｄは、湾曲した曲面により形成されており、下方から上方へ向かって広がった形状である（図４Ｃ参照）。
【００４５】
後壁部４３ｂは、側壁部４３ｃ、４３ｄと同様に湾曲した曲面により形成されており、下容器４０の内側に、前方へ突出した２つの停止部材４６を有している。
【００４６】
さらに、前壁部４３ａ、後壁部４３ｂ、及び左右の各側壁部４３ｃ、４３ｄの上端は、下容器４０の上方の外縁を一周囲んだ形状の外縁枠４９を形成している。
上記のような構造を有する下容器の利点について、以下、詳しく説明する。
【００４７】
図４Ａ及び図５に示すように、底部４１の上面の突出部５０は、略矩形の外縁を有して、上方に突出した領域であり、開口部４２の周囲を囲んだものである。また、突出部５０に対応する底面の突出部５０ｂは、突出部５０の突出に対応して、上方へ向かって凹んだ形状となっている。突出部５０及び突出部５０ｂを設けることで、底部５０の強度を向上させることができる。
【００４８】
図４Ａ及び図５に示すように、底部４１の２つの案内突部４５は、突出部５０の左右方向外側で、略平行に形成されている。このとき、案内突部４５の上方向の高さは、突出部５０の高さより高い。トレイ３０をトレイ挿入部４４から挿入すると、トレイ３０は、２つの案内突部４５に左右方向の移動を規制されつつも、２つの案内突部４５の間を前後方向に動くことができる。２つの案内突部４５が、トレイ３０が案内突部４５から外側に動くことを抑制するのである。なお、２つの案内突部４５間の左右方向の距離は、トレイ３０の左右方向の長さより長く設定されている。したがって、トレイ挿入部４４から挿入されたトレイ３０が、下容器４０内を滑らかに動くことができる。図３Ｃは、トレイ３０を下容器４０の左右方向中央に挿入したときの状態を表している。
【００４９】
図４Ｂ及び図５に示すように、底部４１の底面の縦リブ５１は、下方に突出した突部である。縦リブ５１は、突出部５０ｂの外側に設けられたリブであり、前後方向に沿って形成され、左右方向の外側に凸形状である。また、縦リブ５１の前後方向の長さは、トレイ支持部４８（後述）の前後方向の長さとほぼ同じ長さである。
【００５０】
図４Ｂに示すように、底面の横リブ５２は、前方及び後方に設けられ、縦リブ５１と同様に下方に突出した突部であり、縦リブ５１と同じ高さだけ突出されている。横リブ５２の左右方向の長さは、開口部４２の左右方向の長さとほぼ同じであり、横リブ５２は前後方向の外側に凸形状である。前方の横リブ５２は、開口部４２とトレイ挿入部４４との間に形成されている。前壁部４３ａには、トレイ挿入部４４が形成されていることで、他の部分より強度が劣っているおそれがあるが、横リブ５２を開口部４２とトレイ挿入部４４との間に形成することで、下容器４０の補強効果を高めることができ、下容器４０の変形を減少させることができる。なお、トレイ挿入部４４を介してトレイ３０の挿入及び引出しが行なわれることに鑑みれば、前壁部４３ａの変形を抑制する必要性は非常に高い。
【００５１】
また、前述したように、周リブ５３の一部が、縦リブ５１及び横リブ５２となっているから、周リブ５３の突出の高さは、縦リブ５１と横リブ５２と同じである。
【００５２】
図６は、下容器４０の底面について説明する図である。図６の斜線領域は、下容器４０の底面の平面部Ｐを示している。縦リブ５１及び横リブ５２を含む周リブ５３を設けない場合には、この平面部Ｐが動物用トイレ１の設置面と接することとなる。つまり、縦リブ５１及び横リブ５２を含む周リブ５３を設けることで、下容器４０の平面部Ｐが動物用トイレ１の設置面と接触しないようにすることができる。
【００５３】
また、平面部Ｐの左右方向の縁は、外側に凸形状である。さらに、縦リブ５１も、平面部Ｐの縁に沿って、平面部Ｐに形成されており、平面部Ｐと同様に外側に凸形状である。このとき、縦リブ５１は、平面部Ｐの縁より内側に形成されている。このようにすることで、動物用トイレ１をより安定させることができる。なお、横リブ５２、周リブ５３についても平面部Ｐに沿った形状としてもよい。
【００５４】
図４Ｃ及び図５に示すように、前壁部４３ａのトレイ挿入部４４は、下容器４０の左右方向中央に、トレイ３０を前方から挿入するため前後方向に貫通して形成されている。トレイ挿入部４４の左右方向の長さ、及び上下方向の高さは、トレイ３０の挿入及び引出しに支障を生じさせないように、トレイ３０の大きさより少し大きく形成されている。
【００５５】
図４Ｃ及び図５に示すように、上側凹部５４は、下容器４０の左右方向中央で、トレイ挿入部４４の上方で、前後方向にくぼませた部分である。上側凹部５４は、前後方向に沿って前方から見た場合に、楕円形を半分に切ったような形状になっている。前後方向にくぼんだ領域は、曲面に形成されている。このような上側凹部５４を設けることにより、下容器４０の補強効果を向上させることができる。また、作業者がトレイ３０を引き出す場合に、作業者が取っ手部３１の上方から手を入れることができるため、作業効率を向上させることができる。
【００５６】
図４Ｂ及び図５に示すように、下側凹部５５は、下容器４０の左右方向中央で、トレイ挿入部４４の下方で、前後方向にくぼませた部分である。下側凹部５５のくぼんだ領域は、略平面に形成されている。下側凹部５５の最も後方に位置する部分を下側凹部の後端５５ｂとする。このとき、図４Ｂに示すように、トレイ挿入部４４が貫通して形成された部分は、下側凹部５５の後端５５ｂよりも前後方向において、前方に形成されている。
これにより、下容器４０の補強効果を向上させることができる。
【００５７】
また、下容器４０のトレイ挿入部４４の上方で、上側凹部５４の下端の左右方向の両側に、天井壁５６ａ、５６ｂが前後方向に沿って設けられている。天井壁５６ａの左右方向の距離は、上側凹部５４の左端部からトレイ挿入部４４の左側端部までの長さであり、天井壁５６ｂの左右方向の距離は、上側凹部５４の右端部からトレイ挿入部４４の右側端部までの長さである。天井壁５６ａ、５６ｂの上面及び下面は、動物用トイレ１の設置面と略平行で、平坦な面を有している。天井壁５６ａ、５６ｂを有することで、下容器４０の補強効果を高めることができ、特に前壁部４３ａの変形を減少させることができる。
【００５８】
このとき、上側凹部５４の後端で上側凹部５４の最も前後方向にくぼんだ部分は、天井壁５６ａ、５６ｂの後端より前方に設けられている（図４Ａ）。これによって、より一層、下容器４０の補強効果を向上させることができる。
【００５９】
図４Ａ及び図５に示すように、後壁部４３ｂの停止部材４６は、左右方向において、２つの案内突部４５の間に設けられている。停止部材４６は、上下方向において、突出部５０よりも高く、突出部５０とトレイ３０の上下方向の高さの和より低い。トレイ３０が挿入され、トレイ３０の後端が停止部材４６に接触すると、停止部材４６は、トレイ３０がそれ以上後方へ動くことを抑制する。この結果、トレイ３０を下容器４０内の正しい位置に収めることができる。
【００６０】
以下、上容器２０及びトレイ３０から下容器４０へ加わる荷重について説明する。
図７は、図３Ｃの左半分拡大図である。図３及び図７に示すように、上容器２０とトレイ３０とは、接触していないため、上容器２０の荷重とトレイ３０の荷重が下容器４０の同じ部分に加えられることによる下容器４０の変形等を防ぐことができる。
【００６１】
図３Ｂ、図３Ｃ、及び図７に示すように、下容器４０が上容器２０を支持しており、上容器２０の荷重は、上容器荷重部２４から上容器支持部４７に加わる。上容器支持部４７は、下容器４０の外縁枠４９の上面であって、平坦な面である。上容器支持部４７は、下容器４０の上方の外縁一周にわたって上容器荷重部２４と接触して、上容器２０の荷重を支持している。
【００６２】
下容器４０は、トレイ３０も支持している。トレイ３０の荷重は、底突起部３３の底面からトレイ支持部４８に加わる。なお、トレイ３０を支持するためのトレイ支持部４８は、突出部５０と底突起部３３とが接触している部分であり、図４Ａの点線領域である。
【００６３】
このとき、図７に示すように、左右方向において、縦リブ５１は、上容器支持部４７とトレイ支持部４８の間に設けられている。なお、図３Ｃは、図３ＡにおけるＢ−Ｂ断面図は、前後方向における中央位置での断面図であり、縦リブ５１は、左右方向において案内突部４５の外側に設けられている。
【００６４】
また、この上容器支持部４７、トレイ支持部４８と、縦リブ５１との位置関係は、トレイ３０が２つの案内突部４５間を左右方向に動いた場合についても、同様である。図８Ａは、トレイ３０が最も左に寄った状態の中心横断面図の左半分拡大図、図８Ｂは、トレイ３０が最も右に寄った状態の中心横断面図の左半分拡大図である。
【００６５】
図８Ａに示すように、トレイ３０が最も左に寄った状態は、トレイ３０の左側端部が、左側案内突部４５に接触した状態である。このとき、縦リブ５１は、左右方向において、上容器支持部４７とトレイ支持部４８の間に設けられている。
【００６６】
同様に、図８Ｂに示すように、トレイ３０が最も右に寄った状態は、トレイ３０の右側端部が右側の案内突部４５に接触する。このときも縦リブ５１は、左右方向において、上容器支持部４７とトレイ支持部４８の間に設けられている。
【００６７】
上記のような構成となっているから、左右方向において、トレイ３０が左右方向に動いた場合でも、上容器２０の荷重及びトレイ３０の荷重による下容器４０の変形を抑制することが可能となる。
【００６８】
仮に、例えば、トレイ３０が左右方向に動いた状態において、縦リブ５１が上容器支持部４７及びトレイ支持部４８よりも内側に配置される構成の場合、縦リブ５１を基準とした左右方向の外側に上容器２０の荷重及びトレイ３０の荷重が加わる。
【００６９】
これに対して、本実施形態の構成によれば、トレイ３０が左右方向に動いた状態においても、縦リブ５１を基準とした左右方向の両側に上容器２０の荷重及びトレイ３０の荷重が配分されて加わり、下容器４０の変形が抑制される。
【００７０】
なお、縦リブ５１の左右方向の位置について、図３Ａ中のＢ−Ｂ断面図たる中心横断面図を用いて説明したが、Ｂ−Ｂ断面に限らず、縦リブ５１は、トレイ３０が最も左又は右に寄った状態においても、左右方向において、上容器支持部４７とトレイ支持部４８の間に設けられている。例えば、図３Ａ中のＥ−Ｅ断面や、Ｆ−Ｆ断面についても、トレイ３０が左右方向中央に位置している状態、及びトレイ３０が最も左又は右に寄った状態において、縦リブ５１は、上容器支持部４７とトレイ支持部４８の間に設けられている。
【００７１】
さらに、図３Ｃに示すように、前後方向における中央位置での断面（図３ＡのＢ−Ｂ断面）において、縦リブ５１は左右方向において案内突部４５の外側に形成されている。これにより、縦リブ５１が案内突部４５よりも左右方向の内側又は同じ位置に設けられている場合に比べて、上容器２０の荷重及びトレイ３０の荷重による下容器４０の変形を抑制することができる。
【００７２】
カバー１０、上容器２０、トレイ３０、及び下容器４０の素材例としては、ポリエチレン（ＰＥ）、ポリプロピレン（ＰＰ）、及びポリエチレンテレフタレート（ＰＥＴ）等のポリオレフィン系の熱可塑性樹脂を挙げることができるが、これに限られない。例えば、これら以外の樹脂や、ステンレス鋼やアルミニウム等の金属でもよい。
【００７３】
＝＝＝その他の実施形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれる。例えば、以下に示すような変形が可能である。
【００７４】
上述の実施形態では、図１に示すように、動物用トイレ１は、カバー１０を備えることとしたが、これに限られない。カバー１０を用いなくてもよい。
【００７５】
また、上述の実施形態では、縦リブ５１を突部として形成したが、これに限られない。突部の形状は適宜変更することができる。例えば、底面に立方体を複数個設けることとしてもよいし、縦リブを複数個設けることとしてもよい。
【００７６】
また、上述の実施形態では、縦リブ５１は外側に凸形状としたが、これに限られない。縦リブ５１は、直線形状であってもよいし、内側に凸形状としたり、ジグザグの形状としてもよい。
【００７７】
さらに、上述の実施形態では、横リブ５２を前方及び後方の２箇所に設けることとしたが、これに限られない。横リブは、前方のみに形成することとしてもよいし、前方又は後方に複数の横リブを設けることとしてもよい。また、縦リブ５１と同様に、種々の形状としてもよい。
【００７８】
上述の実施形態では、トレイ支持部４８から縦リブ５１までの距離（Ｌ１）が、上容器支持部４７から縦リブ５１までの距離（Ｌ２）より短い（Ｌ１＜Ｌ２）ことが図７等から明らかであるが、このような構成に限られない。トレイ支持部４８から縦リブ５１までの距離（Ｌ１）が、上容器支持部４７から縦リブ５１までの距離（Ｌ２）より長い（Ｌ１＞Ｌ２）構成としてもよい。Ｌ１＞Ｌ２とすることにより、下容器４０の変形を減少させることができる。
【符号の説明】
【００７９】
１  動物用トイレ、
１０  カバー、
２０  上容器、
２０Ｃ  上容器中央
２１  底部、
２２  底部の上面部
２２Ｃ  底部の上面部の中央
２３ａ、２３ｂ、２３ｃ、２３ｄ  周囲の領域
２４  上容器荷重部
３０  トレイ、
３１  取っ手部、３２  吸収体載置部、３３  底突起部
４０  下容器
４１  底部、
４２  開口部
４３ａ  前壁部、４３ｂ  後壁部、４３ｃ、４３ｄ  側壁部、
４４  トレイ挿入部
４５  案内突部
４６  停止部材
４７  上容器支持部
４８  トレイ支持部
４９  外縁枠
５０、５０ｂ  突出部
５１  縦リブ（突部）
５２  横リブ
５３  周リブ
５４  上側凹部
５５  下側凹部、５５ｂ  下側凹部の後端
５６ａ、５６ｂ  天井壁
ｈ  穴、
Ｐ  平面部
【図１】
0006389779.tif 000002
【図２】
0006389779.tif 000003
【図３】
0006389779.tif 000004
【図４】
0006389779.tif 000005
【図５】
0006389779.tif 000006
【図６】
0006389779.tif 000007
【図７】
0006389779.tif 000008
【図８】
0006389779.tif 000009